(57)【特許請求の範囲】
【請求項１】
構内無線システムを移動網で使用される移動端末とコンパチブルとする方法であって、該方法は、
構内無線システムのエアインターフェイスを移動網のエアインターフェイスとコンパチブルとする適合ステップであって、
構内無線システム内で周波数制御情報を含む周波数修正チャネルおよびタイミング制御情報を含む同期化チャネルを含む第１の制御チャネルを発生するステップと、
移動網に関連するエアインターフェイスのプロトコルにより規定されるフォーマットに従って前記周波数制御情報および前記タイミング制御情報を構成するステップと、を含む前記適合ステップと、
第１の制御チャネルを構内無線システムの基地局から移動端末へ送信するステップと、
送信した第１の制御チャネルの受信に応答して、基地局が移動端末による使用を許可されるかどうかを確認するステップと、
許可される場合には、移動端末を前記基地局とコードレスモードで作動できるようにするステップと、
構内無線システムの周波数修正チャネルと同期化チャネルの送信が移動網の周波数修正チャネルと同期化チャネルの送信タイミングとは異なる間隔となるようにタイミングをとるステップと、
を含む方法。
【請求項２】
請求項１記載の方法であって、さらに、構内無線システムのトラフィックチャネル内にアイドルフレームが生じる時に周波数修正チャネルおよび同期化チャネルの選択された一方が送信されるようにタイミングをとるステップを含む方法。
【請求項３】
請求項１記載の方法であって、さらに、
同期化チャネル内で基地局に関連するワイヤライン番号を移動端末へ送信する
ステップと、
受信したワイヤライン番号を移動網へ転送するステップと、
受信され転送されたワイヤライン番号に応答して、移動端末へ向けられる少な
くとも１つの着信呼を移動網から基地局へ再ルーティングするステップと、
を含む方法。
【請求項４】
請求項１記載の方法であって、基地局が許可されるかどうかを確認する前記ステップは、さらに、
同期化チャネル内で基地局のアイデンティティを移動端末へ送信するステップと、
送信されたアイデンティティを移動端末内の少なくとも１つの格納されたアイデンティティと比較するステップであって、送信されたアイデンティティと少なくとも１つの格納されたアイデンティティが一致する場合に基地局が許可されるステップと、
を含む方法。
【請求項５】
請求項１記載の方法であって、移動端末を作動できるようにする前記ステップはさらに移動端末を基地局に登録するステップを含む方法。
【請求項６】
請求項５記載の方法であって、さらに、基地局の構内無線チャネルへのアクセスを要求するステップを含む方法。
【請求項７】
請求項５記載の方法であって、さらに、基地局の状態に応じて構内無線チャネルへのアクセスを許可するステップを含む方法。
【請求項８】
請求項５記載の方法であって、さらに、基地局、移動端末、および移動網を同期化するステップを含む方法。
【請求項９】
請求項１記載の方法であって、さらに、同期化チャネル内で基地局の状態を表示するステップを含む方法。
【請求項１０】
請求項９記載の方法であって、状態を表示する前記ステップは、さらに、アイドル状態、ビジー状態、ページ状態および登録更新状態の中の選択された１つとして状態を分類するステップを含む方法。
【請求項１１】
移動網内のユーザが構内無線システムを介して通信できるようにするシステムであって、該システムは、
前記構内無線システムに関連し、周波数制御情報を含む周波数修正チャネルおよびタイミング制御情報を含む同期化チャネルを含むビーコンチャネルを発生するように作動する基地局であって、移動網に関連するエアインターフェイスのプロトコルにより規定されるフォーマットに従って前記周波数制御情報および前記タイミング制御情報を構成して送信するように作動する基地局と、
送信したビーコンチャネルの受信に応答して、基地局が前記移動端末による使用を許可されるかどうかを確認するように作動し、許可される場合には、前記基地局とコードレスモードで作動するように構成される移動端末と、を含み、
前記基地局は、さらに、構内無線システムの周波数修正チャネルと同期化チャネルの送信が移動網の周波数修正チャネルと同期化チャネルの送信タイミングとは異なる間隔となるようにタイミングをとる手段を含む、システム。
【請求項１２】
請求項１１記載のシステムであって、前記基地局は、さらに、基地局、移動端末、および移動網を同期化する手段を含むシステム。
【請求項１３】
請求項１１記載のシステムであって、前記基地局は、さらに、構内無線システムのトラフィックチャネル内にアイドルフレームが生じる時に周波数修正チャネルおよび同期化チャネルの選択された一方が送信されるようにタイミングをとる手段を含むシステム。
【請求項１４】
請求項１１記載のシステムであって、前記基地局は、さらに、同期化チャネル内で基地局の状態を表示する手段を含むシステム。
【請求項１５】
移動網内のユーザが移動端末により前記構内無線システムを介して通信できるようにする構内無線システムであって、該構内無線システムは、
周波数制御情報を含む周波数修正チャネルおよびタイミング制御情報を含む同期化チャネルを含むビーコンチャネルを発生する手段を含む基地局と、
前記発生手段に接続され、移動網に関連するエアインターフェイスのプロトコルにより規定されるフォーマットに従って前記周波数制御情報および前記タイミング制御情報を構成する手段と、
前記構成する手段に接続され、基地局の使用が許可されているかどうかを確認する前記移動端末へ前記ビーコンチャネルを送信する手段と、
を含み、
前記基地局は、さらに、構成無線システムの周波数修正チャネルと同期化チャネルの送信が移動網の周波数修正チャネルと同期化チャネルの送信タイミングとは異なる間隔となるようにタイミングをとる手段を含む、構内無線システム。
【請求項１６】
請求項１５記載の構内無線システムであって、前記基地局は、さらに、基地局、移動端末、および移動網を同期化する手段を含む構内無線システム。
【請求項１７】
請求項１５記載の構内無線システムであって、前記基地局は、さらに、構内無線システムのトラフィックチャネル内にアイドルフレームが生じる時に周波数修正チャネルおよび同期化チャネルの選択された一方が送信されるようにタイミングをとる手段を含む構内無線システム。
【請求項１８】
請求項１５記載の構内無線システムであって、前記基地局は、さらに、同期化チャネル内で基地局の状態を表示する手段を含む構内無線システム。
【発明の詳細な説明】
発明の背景
発明技術分野
本発明は一般的にワイヤレス電気通信の分野に関し、特にセルラー移動電話機とコンパチブルに使用することができる構内無線通信システムに関する。
関連技術の説明
デジタル移動通信システムを公衆電話に商業的に利用することが過去１０年の間に途方もなく成長してきている。例えば、１９８０年代半ば以来、欧州のＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ），日本のＰＤＣ（Ｐｅｒｓｏｎａｌ  Ｄｉｇｉｔａｌ  Ｃｅｌｌｕｌａｒ）システム、および北米のＤ−ＡＭＰＳ（Ｄｉｇｉｔａｌ  Ａｄｖａｎｃｅｄ  Ｐｈｏｎｅ  Ｓｙｓｔｅｍ）等の多数のデジタルセルラー通信システムが世界中で公衆用として使用開始されている。これらのシステムの技術的仕様の多くは異なっているが、欧州で作り出されたＧＳＭエアーインターフェイス標準は世界中に配置されている他の多くのセルラーシステムで使用されている。
このように広く使用されているＧＳＭエアーインターフェイス標準はチャネル割当ての時分割多元接続（ＴＤＭＡ）方式に基づいている。このＴＤＭＡ割当て方式により、いわゆるマクロセルが大きな地域的エリアすなわち地区をカバーし、マイクロセルが幾分小さなエリア（例えば、一筋のハイウェイ）をカバーし、ピコセルがさらに小さなエリア（例えば、一部屋もしくは二部屋のサイズ）をカバーする階層セル通信構造を使用することができる。しかしながら、このような階層セル構造を使用する既存のシステムの重要な必要条件は、セルカバレッジエリアを規定する配置された基地局が全て同じセルラーネットワーク（例えば、公衆陸上移動網すなわちＰＬＭＮ）に属さなければならないことである。
業務および住宅環境では、電話サービスのユーザはモビリティが制限されており、そのためセルラーネットワークのモビリティの高いユーザが通常利用できないサービスを受けることができる。例えば、米国特許第５，４２８，６６８号および第５，５３５，２５９号には、開示されたセルラーネットワークの一体部ではなく公衆交換電話網（ＰＳＴＮ）に直接接続される構内無線基地局が開示されている。移動セルラー端末が構内システムの“ホーム基地局”（ＨＢＳ）の無線範囲内に入ると、移動端末の動作はコードレス電話機へ変換される。このコードレス動作モードを使用して、移動ユーザは低ＰＳＴＮ料金、高品質音声通信、および実質的に長い待機時間等のセルラーモードに較べてさまざまな利点を実現することができる。
構内無線システムがセルラーネットワークエアーインターフェイスとコンパチブルなエアーインターフェイスを持つことになれば、多くの同様な利点およびその他の利点が実現される。例えば、コードレス動作モードを実現するためのソフトウェアを移動網もしくは構内システムからダウンロードすることにより、移動端末をデュアルモードセルラーＨＢＳ携帯端末へ変換することができる。さらに、基地局の送信および受信周波数が交換されれば、構内無線システムの既存の基地局ハードウェアをこのようなデュアルモードセルラーＨＢＳ動作に使用することができる。それにもかかわらず、これらの構内無線システムの動作は既存のセルラーネットワークとはコンパチブルではなく、前記した利点は実現されない。
発明の要約
セルラー移動電話機ユーザが構内無線システムへアクセスしてコードレスモードで通信できるようにすることが本発明の目的である。
構内無線システムのエアーインターフェイスをセルラー移動網のエアーインターフェイスとコンパチブルにすることが本発明のもう１つの目的である。
セルラー移動電話機ユーザが構内無線システムへアクセスして固定電話網を介して通信できるようにすることが本発明のさらにもう１つの目的である。
本発明の１つの特徴に従って、前記した目的およびその他の目的は、構内無線システムのエアーインターフェイスをセルラー移動電話網のエアーインターフェイスとコンパチブルにする方法および装置により達成される。
本発明のもう１つの特徴に従って、前記した目的およびその他の目的は、セルラー移動電話機がコードレスモードで作動できるように構内無線システムのビーコンチャネルを適応させる方法および装置により達成される。
【図面の簡単な説明】
添付図と共に下記の詳細説明を読めば本発明の方法および装置をより完全に理解することができ、ここに、
図１は、本発明の好ましい実施例に従って、構内無線システムをセルラー通信システムとコンパチブルにするのに使用する方法および装置を示す最上位略ブロック図。
図２は従来の制御チャネルフレームフォーマットを示す線図。
図３は図２に示す従来の制御チャネルフレームフォーマットの周波数修正チャネルフレーム内で使用されるバーストフォーマットを示す線図。
図４は図２に示す従来の制御チャネルフレームフォーマットの同期化制御チャネルフレーム内で使用されるバーストフォーマットを示す線図。
図５は、本発明の好ましい実施例に従って、構内無線システムを移動通信網とコンパチブルにするのに使用することができるビーコンチャネルフレームフォーマットを示す線図。
図６は、本発明の第１の実施例に従って、構内無線ビーコンチャネル内の同期化チャネルバーストのビット内容を示す線図。
図７は、本発明の第１の実施例に従って、構内無線チャネルへのアクセスを許可もしくは要求するのに使用することができる上りおよび下りビーコン制御チャネルフレームシーケンスを示す線図。
図８は、本発明の第１の実施例に従って、構内無線チャネルへのアクセス許可もしくは要求およびセルラー基地局との同期化に使用することができる上りおよび下りビーコン制御チャネルフレームシーケンスを示す線図。
図９は、本発明の第１の実施例に従って、登録更新を実現するのに使用することができる上りおよび下りビーコン制御チャネルフレームシーケンスを示す線図。
図１０は、本発明の第２の実施例に従って、構内無線システム内のアクセス要求チャネルのビット内容を示す線図。
図１１は、本発明の第２の実施例に従って、構内無線チャネルへのアクセスを許可もしくは要求するのに使用することができる上りおよび下りビーコン制御チャネルフレームシーケンスを示す線図。
図１２は、本発明の第２の実施例に従って、登録更新においてＡＲＣＨ  ＳＢを使用する方法を示す線図。
図面の詳細な説明
さまざまな図面の同様な対応する部分には同じ番号が使用されている図１−図１２を見れば、本発明の好ましい実施例およびその利点を最も理解することができる。
図１は、本発明の好ましい実施例に従って、構内無線システムをセルラー通信システムとコンパチブルにするのに使用する方法および装置を示す最上位略ブロック図である。構内無線システム１０は低電力送受信機を有する基地局（例えば、ＨＢＳ）１４を含んでいる。本実施例では、基地局１４はエアーインターフェイスを介してデュアルモード構内無線移動セルラー端末１２と２方向通信を行うようにリンクされている。基地局１４は、また、ＰＳＴＮ１６と２方向通信を行うように接続されている。後述するように、構内無線システムのエアーインターフェイスはセルラー移動通信システム２０のエアーインターフェイスとコンパチブルである。端末１２に使用できる移動端末の例は、例えば、ＧＳＭ内で利用される標準セルラー電話機である。
セルラーシステム２０は移動サービス交換局２４に接続された基地局２２を含んでいる。基地局２２はセルラーシステム２０内の少なくとも１つのセルのカバレッジエリアを規定する送受信機を含んでいる。基地局２２は第２のエアインターフェイスを介して移動セルラー電話機２６と２方向通信を行うようにリンクされている。この実施例では、電話機２６は第２のデュアルモード構内無線移動セルラー電話機とすることができる。図１には１つの構内無線基地局およびセルラー基地局しか図示されていないが、それは単なる説明用であって本発明はそのように限定されるものではない。これに関して、やはり本発明の範囲内に入る複数の同様な構内無線基地局やセルラー基地局も図示できることをお判り願いたい。
一般的に、好ましい実施例に従って、構内無線システムのエアーインターフェイスはセルラー移動網のエアーインターフェイスとコンパチブルとなるようにされている。図１に示す実施例では、世界中で広く受け入れられ使用されているため、ＧＳＭエアーインターフェイスがモデルプロトコルとして使用される。しかしながら、本発明はＧＳＭプロトコルだけに限定されるものではなく、過度の技術的困難を伴うことなく構内無線システムエアーインターフェイスを移動網のエアーインターフェイスとコンパチブルにすることができる限り、任意の適切な移動網エアーインターフェイスを使用することができる。
特に、好ましい実施例では、構内無線基地局のブロードキャスト制御チャネルはＧＳＭに使用するエアーインターフェイスプロトコルとコンパチブルとされる。このような構内無線基地局のブロードキャストチャネルは、構内無線基地局が制限されたエリア内の限定数の移動端末しか受け持たないため、ＧＳＭ制御チャネルに関して著しく単純化することができる。情報を連続的にブロードキャストする替わりに、低デューティサイクルビーコン信号が使用される。ビーコンチャネル（ＢＣＨ）は周波数修正チャネル（ＦＣＣＨ）内の周波数修正バースト（ＦＢ）、および同期化チャネル（ＳＣＨ）内の同期化バースト（ＳＢ）を含んでいる。これらのバーストフォーマットはＧＳＭで使用されるＦＢおよびＳＢフォーマットに従って定義される。しかしながら、構内無線基地局のＢＣＨ  ＳＢにより運ばれる情報メッセージは構内無線システムに関する状態およびアイデンティティ情報を含んでいる。
この点において、ある移動網制御チャネル動作について説明するのが有用である。図２は従来のＧＳＭ制御チャネルフレームフォーマットを示す線図である。電源投入すると、ＧＳＭ移動端末はＧＳＭ  ＦＢに対するある規定周波数帯域を走査する。ＦＢは図２に示すフォーマットを有する制御チャネルによりＧＳＭ基地局から送信される。図２はＧＳＭ内に１つの５１ＴＤＭＡフレームマルチフレームがあることを示している。ＧＳＭマルチフレームはＦＣＣＨ（移動端末がその周波数を同期化する場合）、ＳＣＨ（移動端末がそのタイミングを同期化し、ＴＤＭＡフレーム番号および基地局アイデンティティコードを読み出す場合）、ブロードキャスト制御チャネルすなわちＢＣＣＨフレーム（移動端末が制御チャネルにより規定されるセルに関する一般的情報を読み取る場合）、共通制御チャネルすなわちＣＣＣＨフレーム（移動端末が無線呼び出しできるかあるいはスタンドアロン専用制御チャネルすなわちＳＤＣＣＨを割り当てられる場合）、およびアイドルフレーム（ダミービットが送信される場合）を含んでいる。
図３は従来のＧＳＭ  ＦＢで使用されるバーストフォーマットを示す線図である。ＧＳＭ  ＦＢは６テールビット（ＴＢ）および１４２固定ビット（ゼロ）を含んでいる。ＧＳＭでは、ＦＢ内の１４２のゼロにより基地局送信機内の変調器が非変調キャリヤを発生する。
移動端末がＧＳＭ  ＦＢを見つけると、端末はＧＳＭ  ＳＢを探索し、それはネットワークおよび基地局アイデンティティ情報、および時間基準情報を含んでいる。図４は従来のＧＳＭ  ＳＢ内で使用されるバーストフォーマットを示す線図である。ＧＳＭ  ＳＢは６４ビットトレーニングシーケンスを含み、それはタイミング基準に使用される既知のビットパターンであり、チャネルモデルを推定するためにチャネルイコライザーにも使用される。ＧＳＭ  ＳＢは６テールビット（０）も含んでおり、それは畳み込み符号化アルゴリズムに対する所定の開始および停止点を与えることによりＧＳＭ畳み込みデコーダーを助ける。さらに、ＧＳＭ  ＳＢは２５ビットデータもしくは音声情報メッセージを符号化する７８暗号化ビットを含んでいる。７８暗号化ビットはネットワークアイデンティテイおよび基地局カラーコードを示す６ビット、およびコンタクトされるＧＳＭ基地局に対するＴＤＭＡフレーム番号を示す１９ビットも含んでいる。
移動端末はネットワーク（例えば、ＧＳＭ）へのアクセスを許されると、ＢＣＣＨフレームを読み出してそれが常駐するセルに関連する情報を得る。ネットワークは端末の位置を更新することにより移動端末を登録し、移動端末はアイドルモードへ戻される。ＣＣＣＨを介してネットワークのページングチャネル（ＰＣＨ）を受信するように定期的に活性化されることを除けば、移動端末はアイドルモードに止まる。
前記したように、ＧＳＭ制御チャネルは一般的に、（１）移動端末を適切なチャネル周波数へ固定する、（２）ネットワークおよび基地局を識別する、（３）移動端末をちょうど良い時に同期化させる、および（４）移動端末のネットワークへのアクセスを制御する、等の４つの基本的機能を提供する。このように、これらの基本的ＧＳＭ制御機能は構内無線システムをＧＳＭで使用するのにコンパチブルとするよう考慮される。本発明に従って、構内無線システムは特に下位物理レイヤにおいてネットワーク（ＧＳＭ）バーストフォーマットをコンパチビリティの目的で使用する。
図５は、本発明の好ましい実施例に従って、構内無線システムを移動通信網とコンパチブルとするのに使用することができるビーコンチャネルフレームフレームフォーマットを示す線図である。本質的に、本実施例では、構内無線システムのために新しい制御チャネルが使用され、それは低デューティサイクルで送信されるＦＢ／ＳＢ対を含んでいる。図５に示すように、この制御チャネルのＦＢ／ＳＢ対はＮ２６フレームシーケンス毎に送信され、Ｎは整数である。この例では、Ｎは２に等しい。好ましくは、このＦＢ／ＳＢ対はトラフィック接続（例えば、トラフィックチャネルすなわちＴＣＨ）に使用される２６フレームシーケンスのアイドルフレーム内に生じる。ネットワークアクセス遅延時間を減少し、かつ構内無線システム基地局に接続されない場合に移動端末がネットワークビーコン信号を見つけるのに必要な走査時間を減少するために、好ましくは、Ｎの値は小さく選択される。
ＧＳＭブロードキャスト制御チャネルと同様に、対内の各ＦＢおよびＳＢ間で送信されるＴＤＭＡタイムスロット数は固定数Ｍであり、端末はＦＢを見つけると比較的迅速にＳＢを見つけられるようにされる。しかしながら、端末が最初にターンオンされる時に構内無線基地局の近くに位置する任意のＧＳＭ移動端末が構内無線システム制御チャネルに随意ロックオンされないようにするために、図２に示すように、好ましくはＭの数はＦＢ／ＳＢビーコン対がＧＳＭブロードキャスト制御チャネル内に生じるＦＢ／ＳＢと整列されないようなものとされる。好ましい実施例では、ビーコンチャネルのＦＢとＳＢ間の距離は２６ＴＤＭＡフレームである。この場合、ビーコンバースト送信はトラフィック接続のアイドルフレームと整列される（図５参照）。それは構内無線基地局が、進行中の接続がある場合でも、全ビーコンチャネルを送信できることを意味する。その結果、トラフィック接続に関与しない、構内基地局に登録された全ての移動端末がまだ構内無線ビーコンに固定されたままとすることができる。
動作において、構内無線システム基地局（例えば、図１の基地局１４）は好ましいＦＢ／ＳＢ対を送信し、それにより構内基地局を走査している許可された（例えば、加入者）移動端末は近くの構内基地局にロックオンして同期化することができる。次に、移動局その構内無線基地局が使用許可されているかどうかを確認しなければならない。したがって、構内基地局（１４）のアイデンティティ（および動作状態）がＢＣＨのＳＢへ与えられる。
例えば、図６は本発明の第１の実施例に従って、構内無線ＢＣＨ内のＳＢのビット内容を示す線図である。ＳＢは構内無線基地局を識別するのに使用することができる２５ビットを含んでいる。２５ビットの中のＫビットは基地局およびネットワーク識別情報に使用することができ、残りの（２５−Ｋ）ビットは状態情報（後述する）に使用することができる。好ましい実施例では、Ｋは２２ビットであるが、２５よりも小さい任意の数を使用することができる。ＳＢのＫビット構内基地局アイデンティティセグメントは以後ホームベースビーコンアイデンティティ（ＨＢＢＩ）といわれる。ＨＢＢＩは２つの部分からなり、Ｋ１ビットネットワークカラーコード（ＮＣＣ）およびＫ２ビットベースカラーコード（ＢＣＣ）である。好ましくは、ＢＣＣは複数の構内基地局を結合してＮＣＣにより識別されるネットワークを形成し、構内基地局間のハンドオーバが望まれる時に使用される。好ましい実施例では、Ｋ１およびＫ２はそれぞれ１４および８ビットである。
移動端末はＨＢＢＩを検出し使用して、その中の構内基地局情報を端末内の非揮発性メモリ内に格納された構内基地局リストと比較することにより、構内基地局の使用が許可されているかどうかを確認する（高い確率で）ことができる。使用が許可されておれば、移動端末はその構内基地局に登録することができる。好ましくは、移動端末が構内基地局とコンタクトし続けることを許可されるかどうかを確認するより厳しい認証手順がそれに続く。さらに、それが要求されかつ当該移動端末の受け入れを許される構内基地局であること検証するために、構内基地局は移動端末により認証することができる。認証されれば、移動端末は構内無線システムに登録されて“コードレス”モードで作動することができる。
本発明の異なる特徴として、構内基地局と完全に接続する前に、移動端末は構内無線基地局のワイヤライン（ＰＳＴＮ）番号をＨＢＢＩから検出してセルラーネットワーク（２０）へ報告することができる。あるいは、端末が構内システムに登録している間にワイヤライン番号を得ることができる。したがって、セルラーネットワークはワイヤライン番号を使用して着呼を移動端末の番号へ転送して構内基地局のＰＳＴＮ番号へ再送することができる。
ＢＣＨ（例えば、３）内の残りの（２５−Ｋ）ビットを使用して構内基地局の状態を表示することができる。３ビットを使用して、このような８つの状態を定義することができる。好ましい実施例では、ＩＤＬＥ，ＢＵＳＹ，ＰＡＧＥおよびＲＥＧＩＳＴＲＡＴＩＯＮ  ＵＰＤＡＴＥ状態を含むこのような４つの状態が定義される。ＩＤＬＥ状態は、構内基地局が新しい移動端末との通信に利用できる無線資源（例えば、チャネル）を有することを表示することができる。ＢＵＳＹ状態は、全ての無線資源が占有されて構内基地局は付加移動端末とは通信できないことを表示することができる。例えば、基地局が一時に１台の移動端末しか処理できないように構成されている場合には、１つのチャネルが処理されるとすぐに、ＢＣＨの状態フィールド内にＢＵＳＹ状態が設定される。複数のチャネルを同時に処理できるより複雑な構内基地局では、全てのチャネルが占有されるとＢＣＨ内にＢＵＳＹが設定される。すなわち、ＢＣＨ内にＢＵＳＹ“フラグ”が存在することは、その時点において、移動端末は構内基地局へアクセスできないことを意味する。
構内基地局がＢＣＨ内でＢＵＳＹを送信している場合には、登録を試みている移動端末はＨＢＢＩ内で見つかる情報に基づいて構内基地局へロックしようと試みることができるが、構内基地局がＩＤＬＥモードへ入る（例えば、ＢＣＨ内にＩＤＬＥフラグを設定する）まで認証および登録を待機しなければならない。あるいは、移動端末ユーザはセルラー動作モードに留まることを選んで、後の時点で構内基地局への登録を試みることができる。一方、ＢＵＳＹ状態が設定されて、移動端末が構内基地局に登録される場合には、端末は構内基地局にロックされたままとすることができるが、呼を開設（ｓｅｔ  ｕｐ）することはできない。しかしながら、ユーザには構内基地局を介して呼を開設できない場合は端末をセルラー動作モードへ切り替えるオプションがある。
ＢＣＨ内にＰＡＧＥフラグが設定される場合には、構内基地局は特定の移動端末もしくは登録された全ての端末を無線呼出しすることができる。好ましい実施例では、無線呼出しに対して、ＨＢＢＩ内のＫ１ビットＮＣＣはＫ１ビット一時的ページ番号（ＴＰＮ）により置換され、それは構内システムに登録中は移動端末へ割り当てられる。ＰＡＧＥ状態フラグを検出すると、無線呼出しされていない登録された端末は、ＢＣＣをデコードできる場合には基地局チャネルへロックされたままとすることができる。しかしながら、無線呼び出しされない端末は構内システムへのアクセスの試みを開始できないことがある。利用できる２K1のＰＡＧＥ番号セットの中に、登録された全ての端末が応答できるデフォールトＰＡＧＥ番号が与えられている。
ＢＣＨ内に設定される登録更新状態は、特定の端末を無線呼出しできる点で、ＰＡＧＥ状態に類似している。しかしながら、移動端末はチャネル要求メッセージ（後述）を送信して呼の開設を開始する替わりに、そのアイデンティティ情報を送信する。この手順により構内無線システムは移動端末がまだ構内基地局にロックされていることを確信する。そうでなければ、端末はロックを失ってしまうと（例えば、範囲を越えた移動）登録解除することができないため、無線システムにより暗黙的に登録解除される（ロックを失う場合）。
移動網と同時にコンタクトする多数の端末があるため、ＧＳＭ制御チャネル内にＴＤＭＡフレーム番号が与えられる。しかしながら、任意の一時点において構内無線システムとコンタクトするのは比較的少数の移動端末にすぎないため、構内無線システムにおいてＴＤＭＡフレーム番号をブロードキャストする必要はない。構内システムでは、インストレーション時にランダムに初期化することができるフレームナンバリングを使用することができる。登録中に、構内無線システムの現在のＴＤＭＡフレーム番号を移動端末へ転送し、続いて基地局および端末の両方で同期的に増分することができる。しかしながら、同じ構内システム（例えば、業務応用）内の１つの基地局からもう１つの基地局へのハンドオーバのために、ＴＤＭＡフレーム番号をブロードキャストすると暗号情報のシームレスハンドオーバを容易にするのに有用である。これらの状況下では、同一譲受人による米国特許出願（ドケット番号ＥＵＳ００５０７）に記載されているような代替ハンドオーバ技術を使用することができる。
構内無線システムに対して新しいアクセス要求チャネル（ＡＲＣＨ）が定義される。このＡＲＣＨは、伝搬遅延によるタイミングミスアライメントを考慮する、従来のセルラーシステムに使用されるランダムアクセスチャネル（ＲＡＣＨ）とは異なるものとすることができる。構内無線システムは距離範囲が比較的短いため、伝搬遅延は無視することができより強力なＡＲＣＨを定義することができる。このような構内無線システムＡＲＣＨに対する２つの実施例について以下に説明する。このような第１の実施例では、構内無線システムのＡＲＣＨ（上り）のプロトコルは下りに使用されるＧＳＭアクセス許可チャネル（ＡＧＣＨ）のプロトコルに類似している。距離範囲が比較的短いため、上り送信は下り送信と直接同期化して通常のバーストフォーマットを考慮することができる。
図７は、本発明の第１の実施例に従って、構内無線チャネルへのアクセスを許可もしくは要求するのに使用することができる上りおよび下りフレームシーケンスを示す線図である。構内基地局（１４）に登録された移動端末（１２）は、構内基地局の状態を確認するため、構内基地局から送信されるビーコンＳＢを受信してデコードするように周期的に“目覚める”（好ましくは低デューテイサイクルで）。移動体からの発呼に対して、端末はビーコンが受信されるまで待機する。ビーコンＳＢにＩＤＬＥフラグが設定されると（例えば、基地局の状態がＩＤＬＥ）、移動端末はアクセス要求チャネル（ＡＲＣＨ）でチャネル要求メッセージを発する。このようなＡＲＣＨは図７の下のフレームシーケンス（下り）に図示されている。第１の実施例では、構内システムに使用されるＡＲＣＨはＧＳＭ制御チャネルＢＣＣＨ、ＰＣＨ、ＡＧＣＨ、もしくはＳｌｏｗ  Ａｓｓｏｃｉａｔｅｄ制御チャネル（ＳＡＣＣＨ）とほぼ同じチャネルフォーマットを有している。構内基地局のＡＲＣＨはフレームの４ブロックにわたって分布され４つの連続バーストとして送信される。移動端末はＳＢに続く連続する端末応答４サイクル中に１つのＡＲＣＨでアクセス要求メッセージを送信することができる。
すなわち、フレームｋにおいてＳＢが受信されるものとすると、移動端末はフレームｋ＋１からｋ＋４，ｋ＋５からｋ＋８，ｋ＋９からｋ＋１２，もしくはｋ＋１３からｋ＋１６中にＡＲＣＨを送信することができる。好ましくは、ＡＲＣＨは先行するＳＢと同じタイムスロット中に送信される。しかしながら、ＡＲＣＨが送信されるフレームの特定ブロック（４つの考えられるブロックの中の）をランダムに選択することができる。ＡＲＣＨ内のアクセス要求メッセージは、例えば、確立原因（例えば、無線呼出しに対する返答、チャネル要求、もしくは登録更新に対する返答）、その一時的無線呼出番号もしくはランダムアクセス番号、および（所望により）時間同期化情報等の要求する移動端末に関する一般的情報を含んでいる。ＡＲＣＨメッセージは、ＡＧＣＨメッセージが到来するか、もしくはＢＣＨ  ＳＢ内の登録更新表示が消えるまでＢＣＨ  ＳＢに関して同じ位置（第１のＡＲＣＨ発生でランダムに決まる）で繰り返される。
移動端末からＡＲＣＨを受信すると、構内基地局は次のビーコンが発生するまで待機し、アクセス許可チャネル（ＡＧＣＨ）でアクセス許可メッセージを返す。このようなＡＧＣＨの例を図７の上のフレームシーケンス（上り）に示す。この実施例では、図７に示すＡＧＣＨのフォーマットはＧＳＭ  ＡＧＣＨに対して指定されたフォーマットとほぼ同じである。構内基地局のＡＧＣＨは、好ましくは、ＢＣＨ  ＳＢに対してＡＲＣＨのフレーム位置と同じフレーム位置に配置される。アクセス許可メッセージは、好ましくは、アクセス要求メッセージ内ににあるものと同じＴＰＮすなわちランダムアクセス番号、およびチャネルのキャリヤ周波数や端末へ割り当てられるタイムスロット位置等の要求する移動体をトラフィックチャネルに即座に割り当てる制御情報、を含んでいる。一方、移動体着呼については、送信されたＢＣＨ  ＳＢはＰＡＧＥ状態フラグを含み、移動体発呼について前記したばかりの同じプロセスを使用することができる。
同一出願人による米国特許出願第（ドケット番号ＥＵＳ００５０９）には、移動端末を媒介として構内基地局をＧＳＭブロードキャスト制御チャネルと同期化させる方法が記載されている。前記したように、端末はＧＳＭ基地局のブロードキャスト制御チャネルと同期化され、ＧＳＭ時間基準に基づいてその上り情報を構内基地局へ送信する。続いて、構内基地局は端末から受信される信号と同期化される。しかしながら、前記した方法はＧＳＭネットワークが構内ネットワークと重畳する場合しか利用できない。この点について、構内基地局により呼が開設される時に端末はＧＳＭネットワークと同期化されそうにないため、ＧＳＭとのこのような同期化が必要となる。
図８は、第１の実施例に従って、構内無線チャネルへのアクセスを許可もしくは要求してＧＳＭ基地局と同期化させるのに使用することができる上りおよび下りＢＣＨフレームシーケンスを示す線図である。呼開設プロセスに続いて、構内基地局の送信とＧＳＭ基地局（２２）の送信間のタイムスロット同期化を得るために、移動端末（１２）は粗いタイミングアライメントメッセージを構内基地局（１４）へ転送する。端末はアクセス要求メッセージを送信する直後で、好ましくは次のビーコンを受信する前に同期化される。本実施例では、ＡＲＣＨの最終ブロックはフレームｋ＋１６で生じることがあるため（ＳＢがフレームｋで受信されたものとして）、端末をＧＳＭ制御チャネルと同期化させるのに（２６*Ｎ）−１７フレームを利用できる。
例えば、Ｎが２に等しければ、端末をＧＳＭ制御チャネルと同期化させるのに３５ＴＤＭＡフレームを利用できる。図２に戻って、セルラーブロードキャストチャネル上の少なくとも３つのＦＢ／ＳＢシーケンスが３５ＴＤＭＡフレーム内で生じることができる。このようなシーケンスの第１のシーケンスでは、ＦＢ情報だけを使用して粗い時間（および、恐らくは周波数）同期化が達成される。したがって、端末にＳＢ内の情報をデコードして使用させることにより、このような第２のシーケンスを使用して細密な時間（および、周波数）同期化を得ることができる。しかしながら、第２のシーケンスをＩＤＬＥフレームが先行する場合には、端末はＳＢを見つけることができない。その場合には、このような第３のＦＢ／ＳＢシーケンスが使用される。端末は第１のシーケンス内でＦＢを見つけると、第２もしくは第３のＦＢ／ＳＢシーケンスで送信される、ＳＢに対する次の１１番日毎のフレームを探索する。最悪の状況では、端末は３２フレーム待機しなければならないことがある。したがって、Ｎに対して選択される値は少なくとも２でなければならない。
再び図８において、移動端末は同期化のためにＧＳＭネットワークへ戻ると、この試みをＡＲＣＨ内の第１のアクセス要求メッセージにより構内基地局へ通信することができる。続いて、第２のビーコンを受信した後で（かつＧＳＭネットワークとの同期化が確立された後で）、移動端末はＡＲＣＨ内の第２のメッセージを送信することができ、それは適切な時間アライメント情報を含んでいる。好ましくは、この第２のＡＲＣＨ（および、メッセージ）は第１のＡＲＣＨが発生したのと同じ応答フレーム位置に生じる。
図８に示すように、第２のＡＲＣＨメッセージ（および時間アライメント情報）は構内基地局からのＡＲＣＨ内のアクセス許可メッセージが生じるのと同じ時間に生じる。次に、構内基地局および移動端末は（ＡＧＣＨメッセージ内に与えられる情報を使用し）かつ第２のＡＲＣＨメッセージ内に与えられる新しい時間アライメント情報を使用して新しいトラフィックチャネルへ切り替わる。新しいトラフィックチャネルへのこの切り替えは指定された遅延（例えば、４ＴＤＭＡフレーム）後に達成され、それにより構内基地局および端末は受信した各ＡＲＣＨおよびＡＧＣＨメッセージをデコードするのに十分な時間が見込まれる。指定された遅延後に新しいトラフィックチャネル上で接続が再確立されない場合には、構内基地局は前と同様にＢＣＨ  ＳＢに対する同じ位置を使用してＡＧＣＨメッセージを繰り返す。メッセージは新しいチャネル上で移動端末が見つかるか、あるいは所定のタイムアウト期間が切れるまで繰り返される。
第２のビーコンが送信されるまでこの同期化が繰り返されない場合には、送信される第２のＡＲＣＨメッセージは、端末がＧＳＭシステムとの同期化をまだ試みているという情報を含むことを除けば、第１のＡＲＣＨ内のメッセージとほぼ同じである。構内基地局がこのタイプのＡＲＣＨメッセージを受信し続ける限り、構内基地局はトラフィックチャネルへ切り替わることはなく、ＧＳＭ基地局と同期化していることを端末が肯定応答するまで（ＡＲＣＨメッセージ内で“同期化を試みる”情報を伝えることにより）ＡＧＣＨメッセージを繰り返して応答する。しかしながら、任意の適切なＧＳＭ基地局と同期化できない場合、移動端末はＡＲＣＨメッセージ内に含まれる適切な情報によりそれを構内基地局へ知らせる。その場合、端末および構内基地局は指定した遅延後に新しいトラフィックチャネルへ切り替わることができる。移動端末および構内基地局がトラフィックチャネルへ切り替わると、呼開設プロセスの残りが完了される。
図９は、第１の実施例に従って、登録更新を実現するのに使用することができる上りおよび下りＢＣＨフレームシーケンスを示す線図である。構内基地局（１４）は対応する移動端末のＰＡＧＥ番号が続く登録更新状態フラグを含むＢＣＨを送信する。端末はＡＲＣＨ内で登録受信応答メッセージを送信して応答し、好ましくは、それはＳＢに続く４つの端末応答フレームシーケンス位置の中の１つにランダムに配置される。端末からのメッセージはそのアイデンティティを含んでいる。続いて、端末は再び“スリープ”モードへ入り、次のビーコンが生じる時に一時的に“ウェークアップ”する。
第２の実施例では、ＡＲＣＨはＳＢだけで構成される。ＳＢは受信機（例えば、この場合は構内無線基地局受信機）がその周波数（および、恐らくはタイミング）を同期化するのに使用できる長いトレーニングシーケンスを含んでいる。前記したように、これは移動端末の周波数基準が１次基準源として使用される場合に有益である。ＡＲＣＨ  ＳＢ内の２５ビットは、好ましくは、図１０に示すように符号化される。図からお判りのように、原因ビットは確立原因（例えば、類似チャネル要求、登録更新受信応答、ページへの返答、等）を示す。１４ビットフィールドはＴＰＮを含み、それは構内無線基地局において登録する時に移動端末が受信する一時的アイデンティティである。構内基地局のタイミングを一致させるために、最後の８ビットは、例えば、時間同期化情報（時間差すなわちＴＤ）等の制御情報を含むことができる。
第２の実施例でＡＲＣＨを使用する方法は第１の実施例で使用した方法に類似している。図１１は、本発明の第２の実施例に従って、構内無線チャネルへのアクセスを許可もしくは要求するのに使用することができる上りおよび下りフレームシーケンスを示す線図である。移動端末は、ＢＣＨ  ＳＢに続く８つの連続するＴＤＭＡフレームのいずれかの、ＡＲＣＨ  ＳＢによりアクセス要求メッセージを送信することができる。すなわち、ＢＣＨ  ＳＢがフレームｋで受信されるものとすると、移動端末はフレームｋ＋１からｋ＋８の間にＡＲＣＨを送信することができる。ＡＲＣＨ  ＳＢ位置は移動端末によりランダムに選択することができる。図１２は、本発明の第２の実施例に従って、このようなＡＲＣＨ  ＳＢを登録更新に使用する方法を示す線図である。
複数の構内基地局が組み合わされて構内ネットワーク（例えば、業務もしくは事務所応用）を形成する場合には、１つの構内基地局で使用する前記したビーコンチャネル概念を構内ネットワークにも使用することができる。例えば、構内ネットワーク内の異なる各基地局に対するＢＣＨは一意的なキャリヤ周波数で送信される。また、構内ネットワーク内の各基地局は、好ましくは、一意的なＨＢＢＩを送信する。このような各ＨＢＢＩは構内ネットワーク内の全ての基地局に対して含まれるＮＣＣ情報が同じとなるように定義されるが、含まれるＢＣＣ情報はその個別の基地局と一意的に関連している。したがって、Ｋ２ビットＢＣＣにより構内ネットワーク内で２K2の一意的な基地局を識別することができる。
本発明の方法および装置の好ましい実施例を添付図に示しかつ前記詳細な説明において説明してきたが、本発明は開示した実施例に限定されるものではなく、請求の範囲に記載され明示された発明の精神を逸脱することなくさまざまな再構成、修正および置換が可能であることをお判り願いたい。
【図１】
0004162266.tif 000002
【図２】
0004162266.tif 000003
【図３】
0004162266.tif 000004
【図４】
0004162266.tif 000005
【図５】
0004162266.tif 000006
【図６】
0004162266.tif 000007
【図７】
0004162266.tif 000008
【図８】
0004162266.tif 000009
【図９】
0004162266.tif 000010
【図１０】
0004162266.tif 000011
【図１１】
0004162266.tif 000012
【図１２】
0004162266.tif 000013